(57)【要約】【課題】本発明は、新たにＬＡＮポートまたは設定信号統一用の回路を設けることなく、各設定方式におけるＬＡＮ側物理層制御の設定競合を防ぐことができる、異なる通信方式の複数の上位ネットワークと通信する通信装置および通信方法の提供を目的とする。【解決手段】本発明は、各上位ネットワークに対応して備えられたＰＯＮ制御回路１１およびＰＯＮ制御回路１２と、各ＰＯＮ制御回路と通信し、通信プロトコルの階層構造における物理層を制御する、複数のＰＯＮ制御回路に共通する物理層制御回路１５と、物理層制御回路１５と通信する、複数のＰＯＮ制御回路に共通するＬＡＮポート１７とを備え、物理層制御の設定が、ＰＯＮ制御回路がいずれの上位ネットワークから信号を受信したかに応じて行われる。【選択図】図２
2014082560.tif 000002
【特許請求の範囲】
【請求項１】
通信方式の異なる複数の上位ネットワークと通信可能な下位通信装置であって、
各前記上位ネットワークと通信する、当該各上位ネットワークに対応して備えられた複数の通信制御回路と、
各前記通信制御回路と通信し、通信プロトコルの階層構造における物理層を制御する、複数の前記通信制御回路に共通する物理層制御回路と、
前記物理層制御回路と通信する、複数の前記通信制御回路に共通するＬＡＮポートとを備え、
各前記通信制御回路が対応する各前記上位ネットワークと通信するそれぞれの場合に応じて、前記物理層制御回路に対しそれぞれ異なる物理層制御の設定が行われ、
前記物理層制御回路が、設定された前記物理層制御に従って、前記ＬＡＮポートの通信における物理層を制御し、
前記物理層制御の設定が、前記通信制御回路がいずれの前記上位ネットワークから信号を受信したかに応じて、前記通信制御回路が前記物理層制御回路を制御することにより行われることを特徴とする、
通信装置。
【請求項２】
各前記通信制御回路と対応する各前記上位ネットワークとの通信が確立した場合、当該通信制御回路が、他の前記通信制御回路に対応する前記物理層制御回路の前記物理層制御の設定を停止させることを特徴とする、
請求項１に記載の通信装置。
【請求項３】
通信装置が、ＰＯＮ方式の通信システムにおける下位通信装置であることを特徴とする、
請求項１または２に記載の通信装置。
【請求項４】
各前記通信制御回路が、対応する前記上位ネットワークとの間で固有波長の光信号に基づいて通信することを特徴とする、
請求項１〜３のいずれかに記載の通信装置。
【請求項５】
物理層外部設定スイッチによる設定に基づいて、複数の前記通信制御回路のうちの第１通信制御回路に対応する前記物理層制御の設定が行われ、
前記上位ネットワークからの設定制御フレームに基づいて、複数の前記通信制御回路のうちの第２通信制御回路に対応する前記物理層制御の設定が行われることを特徴とする、
請求項１〜４のいずれかに記載の通信装置。
【請求項６】
前記第１通信制御回路と対応する前記上位ネットワークとの通信が確立した後、前記第１通信制御回路が前記物理層制御回路に第１リセット信号を出力することによって、前記物理層制御回路のハードウェアストラップ機能による前記物理層制御の設定が行われ、
前記第１通信制御回路と対応する前記上位ネットワークとの通信が確立した後、前記第１通信制御回路が前記第２通信制御回路に第２リセット信号を出力することによって、前記第２通信制御回路が停止状態となり、
前記第２通信制御回路と対応する前記上位ネットワークとの通信が確立した後、前記第２通信制御回路の起動状態で、ＭＤＩＯインタフェースを用いた前記設定制御フレームに基づいて前記物理層制御の設定が行われることを特徴とする、
請求項５に記載の通信装置。
【請求項７】
前記第１通信制御回路と対応する前記上位ネットワークとの通信が遮断された場合、前記第１通信制御回路が、前記第２通信制御回路に出力していた前記第２リセット信号の出力を停止することを特徴とする、
請求項６に記載の通信装置。
【請求項８】
各通信方式においてそれぞれ設定されるＩＤ登録番号を、前記第１通信制御回路と前記第２通信制御回路との間で共通して用いることを特徴とする、
請求項１〜７のいずれかに記載の通信装置。
【請求項９】
請求項１〜８のいずれかに記載の通信装置と、前記通信装置における複数の前記通信制御回路のそれぞれと対応して通信を行う複数の上位ネットワークとを備える通信システムにおいて、
各前記通信制御回路と通信し、通信プロトコルの階層構造における物理層を制御する、複数の前記通信制御回路に共通する物理層制御回路における物理層制御の設定が、前記通信制御回路がいずれの前記上位ネットワークから信号を受信したかに応じて切り替えられることを特徴とする、
通信方法。
【発明の詳細な説明】
【技術分野】
【０００１】
本発明は通信装置および通信方法に関し、特に、複数の上位通信装置との間で通信を行う下位通信装置に関するものである。
【背景技術】
【０００２】
近年、上位ネットワークと下位通信装置との間で通信を行う通信システムが広く普及してきている。ユーザーは、各通信システムにおいて定められた通信方式、例えば波長帯の信号を用い、所定の通信プロトコルに従って、下位通信装置を用いた上位ネットワークとの通信を行うことができる。
【０００３】
例えば、ＰＯＮ（Ｐａｓｓｉｖｅ  Ｏｐｔｉｃａｌ  Ｎｅｔｗｏｒｋ）等の、下位通信装置としての複数の加入者側通信装置が通信媒体（光ファイバ等）を共有する通信システムにおいても、ユーザーは各加入者側通信装置を用いて所定の条件に従う通信方式で局側通信装置、さらには上位ネットワークとの通信を行う（特許文献１および特許文献２参照）。
【先行技術文献】
【特許文献】
【０００４】
【特許文献１】特開２０１１−７７７９８号公報（第１１頁、第１図、第３図）
【特許文献２】特開２０１０−２２６６９３号公報（第１１頁、第１図）
【発明の概要】
【発明が解決しようとする課題】
【０００５】
異なる通信方式の通信システムにおいて通信を行う場合には、ＬＡＮ側物理層制御の設定方式が異なるため、各通信システムに対応した下位通信装置が必要となる。
【０００６】
例えば、ＰＯＮ通信システム間において、下位通信装置としての加入者側通信装置でのＬＡＮ側物理層制御の設定方式が異なる場合としては、一方の設定方式が、局側通信装置から設定制御フレームを通信システムを経由して加入者側通信装置に送信し、加入者側通信装置におけるＰＯＮ制御回路からＭＤＩＯ（Ｍａｎａｇｅｍｅｎｔ  Ｄａｔａ  Ｉｎｐｕｔ／Ｏｕｔｐｕｔ）インタフェースを用いて、加入者側通信装置におけるＬＡＮ側物理層制御回路に物理層制御を設定する設定方式であり、他方の設定方式が、外部スイッチ等からの設定入力をＬＡＮ側物理層制御回路のハードウェアストラップ機能（ブートストラップ機能）を用いて取得し、加入者側通信装置におけるＬＡＮ側物理層制御回路に物理層制御を設定する設定方式である場合がある。ここでハードウェアストラップ機能（ブートストラップ機能）とは、ハードウェアの起動時（起動状態遷移時）に自動的に所定の動作を行う機能をいう。
【０００７】
ＭＤＩＯインターフェースを用いてＬＡＮ側物理層制御回路に物理層制御を設定する設定方式の通信システムとしては、例えばＧＥ−ＰＯＮ（Ｇｉｇａｂｉｔ  Ｅｔｈｅｒｎｅｔ（登録商標）  Ｐａｓｓｉｖｅ  Ｏｐｔｉｃａｌ  Ｎｅｔｗｏｒｋ）がある。
【０００８】
外部スイッチ等を用いてＬＡＮ側物理層制御回路に物理層制御を設定する通信方式の通信システムとしては、例えばＥＰＯＮ（Ｅｔｈｅｒｎｅｔ  Ｐａｓｓｉｖｅ  Ｏｐｔｉｃａｌ  Ｎｅｔｗｏｒｋ）がある。
【０００９】
上記のように加入者側通信装置でのＬＡＮ側物理層制御の設定方式が異なる場合には、それぞれのＬＡＮ側物理層制御の設定が独立に行われてしまうため、それぞれの設定が競合してしまう場合がある。このような設定の競合を避けるため、各設定方式に対応して別々にＬＡＮポートを設ける、または、複数の設定方式で統一された設定信号を生成するための回路を新たに設ける等の措置が加入者側通信装置において必要となる。
【００１０】
ここで、ＬＡＮ側物理層制御の設定とは、加入者側通信装置のオートネゴシエーション（Ａｕｔｏ−Ｎｅｇｏｔｉａｔｉｏｎ）有効／無効、リンクアップ速度、デュプレックス（ｄｕｐｌｅｘ）等の制御の設定を含むものである。
【００１１】
上記のように加入者側通信装置において各ＬＡＮ側物理層制御の設定方式に対応したＬＡＮポートを設けること、または加入者側通信装置において統一された設定信号を生成するための回路を設けることは、装置の増加およびコストの増加を生じさせるという問題があった。
【００１２】
本発明は、上記のような問題を解決するためになされたものであり、新たにＬＡＮポートまたは設定信号統一用の回路を設けることなく、各設定方式におけるＬＡＮ側物理層制御の設定競合を防ぐことができる、異なる通信方式の複数の上位ネットワークと通信する通信装置および通信方法の提供を目的とする。
【課題を解決するための手段】
【００１３】
本発明の一態様に関する通信装置は、通信方式の異なる複数の上位ネットワークと通信可能な下位通信装置であって、各前記上位ネットワークと通信する、当該各上位ネットワークに対応して備えられた複数の通信制御回路と、各前記通信制御回路と通信し、通信プロトコルの階層構造における物理層を制御する、複数の前記通信制御回路に共通する物理層制御回路と、前記物理層制御回路と通信する、複数の前記通信制御回路に共通するＬＡＮポートとを備え、各前記通信制御回路が対応する各前記上位ネットワークと通信するそれぞれの場合に応じて、前記物理層制御回路に対しそれぞれ異なる物理層制御の設定が行われ、前記物理層制御回路が、設定された前記物理層制御に従って、前記ＬＡＮポートの通信における物理層を制御し、前記物理層制御の設定が、前記通信制御回路がいずれの前記上位ネットワークから信号を受信したかに応じて、前記通信制御回路が前記物理層制御回路を制御することにより行われることを特徴とする。
【００１４】
本発明の一態様に関する通信方法は、上記の通信装置と、前記通信装置における複数の前記通信制御回路のそれぞれと対応して通信を行う複数の上位ネットワークとを備える通信システムにおいて、各前記通信制御回路と通信し、通信プロトコルの階層構造における物理層を制御する、複数の前記通信制御回路に共通する物理層制御回路における物理層制御の設定が、前記通信制御回路がいずれの前記上位ネットワークから信号を受信したかに応じて切り替えられることを特徴とする。
【発明の効果】
【００１５】
本発明の上記態様によれば、前記物理層制御の設定が、前記通信制御回路がいずれの前記上位ネットワークから信号を受信したかに応じて、前記通信制御回路が前記物理層制御回路を制御することにより行われることにより、新たにＬＡＮポートまたは設定信号統一用の回路を設けることなく、各設定方式におけるＬＡＮ側物理層制御の設定競合を防ぐことができる。
【図面の簡単な説明】
【００１６】
【図１】本発明の実施形態に関する通信システムの構成を概念的に示す図である。
【図２】実施形態に関する加入者側通信装置の構成を概念的に示す図である。
【図３】本発明の実施形態に関する加入者側通信装置の動作を示したシーケンス図である。
【図４】本発明の実施形態に関する通信システムの構成を概念的に示す図である。
【図５】本発明の実施形態に関する加入者側通信装置の動作を示したシーケンス図である。
【図６】本発明の実施形態に関する加入者側通信装置の動作を示したシーケンス図である。
【発明を実施するための形態】
【００１７】
以下、添付の図面を参照しながら、本発明の実施形態について説明する。
【００１８】
＜第１実施形態＞
＜構成＞
図１は、本発明の第１実施形態に関する通信システムの構成を概念的に示す図である。
【００１９】
図１に示されるように通信システム１００においては、下りデータ通信に波長λａの光信号を使用し、上りデータ通信に波長λｃの光信号を使用する局側通信装置１（ＯＬＴ：Ｏｐｔｉｃａｌ  Ｌｉｎｅ  Ｔｅｒｍｉｎａｌ）と、局側通信装置１を共通に介して上位ネットワークと通信を行う複数の通信装置としての加入者側通信装置２（ＯＮＵ：Ｏｐｔｉｃａｌ  Ｎｅｔｗｏｒｋ  Ｕｎｉｔ）と、局側通信装置１と複数の加入者側通信装置２とを接続する光ファイバケーブル３と、局側通信装置１から複数の加入者側通信装置２へ分岐するための光スプリッタとしてのスターカプラ４とを備える。
【００２０】
図２は、本発明の第１実施形態に関する加入者側通信装置２の構成を概念的に示す図である。
【００２１】
波長分割多重カプラ６は、局側通信装置１との間で光信号を送受信する。上り方向には波長λｃの光信号を送信し、下り方向には波長λａの光信号を受信する。
【００２２】
また波長分割多重カプラ６は、波長λａおよび波長λｂの光信号を下り方向へ分割出力する。
【００２３】
波長分割多重フィルタ１０は、波長分割多重カプラ６から入力された波長λｂの光信号を下り方向の光電気変換回路８に出力し、電気光変換回路９から入力された波長λｃの光信号を波長分割多重カプラ６に出力する。
【００２４】
光電気変換回路７は、波長分割多重カプラ６から入力された波長λａの光信号を電気信号に変換してＰＯＮ制御回路１１に出力する。
【００２５】
光電気変換回路８は、波長分割多重フィルタ１０から入力された波長λｂの光信号を電気信号に変換してＰＯＮ制御回路１２およびマルチプレクサ１３（ｍｕｌｔｉｐｌｅｘｅｒ）に出力する。
【００２６】
電気光変換回路９は、マルチプレクサ１３から入力された電気信号を波長λｃの光信号に変換して波長分割多重フィルタ１０に出力する。
【００２７】
ＰＯＮ制御回路１１（第１通信制御回路）は、下りデータ通信に波長λａの光信号を使用する局側通信装置１と通信を行う制御回路である。動作の詳細については後述する。
【００２８】
ＰＯＮ制御回路１２（第２通信制御回路）は、下りデータ通信に波長λｂの光信号を使用する局側通信装置５と通信を行う制御回路である。動作の詳細については後述する。
【００２９】
マルチプレクサ１３は、ＰＯＮ制御回路１１およびＰＯＮ制御回路１２から入力された上りデータ信号の双方を受信し、光電気変換回路８から入力された電気信号（マルチプレクサ制御信号）に基づいて、電気光変換回路９への出力信号を選択する。
【００３０】
レイヤー２スイッチ制御回路１４は、ＰＯＮ制御回路１１と、ＰＯＮ制御回路１２と、物理層制御回路１５との間でデータ通信を行う。
【００３１】
物理層制御回路１５は、ＰＯＮ制御回路１２と、ＬＡＮポート１７と、レイヤー２スイッチ制御回路１４との間でデータ通信を行う。また物理層制御回路１５は、通信プロトコルの階層構造における物理層を制御する。具体的には、ＬＡＮポート１７におけるオートネゴシエーション有効／無効、リンクアップ速度、デュプレックス等の動作を制御する。また物理層制御回路１５には、ＰＯＮ制御回路１１から第１リセット信号が入力され、物理層外部設定スイッチ１６から物理層制御設定信号が入力される。
【００３２】
物理層外部設定スイッチ１６は、物理層制御回路１５へ物理層制御設定信号を出力し、物理層制御回路１５における設定を行う。
【００３３】
ＬＡＮポート１７は、ＬＡＮに接続され、また物理層制御回路１５と通信する。
【００３４】
ＯＮＵ−ＩＤ外部設定スイッチ１８は、加入者側通信装置２の登録番号を設定し、ＰＯＮ制御回路１１およびＰＯＮ制御回路１２にＯＮＵ−ＩＤ設定信号を出力する。
【００３５】
＜動作＞
次に、本発明の本実施形態に関する通信装置としての加入者側通信装置２の動作を説明する。
【００３６】
まず加入者側通信装置２は、電源起動後に物理層制御回路１５のリセットを解除し、物理層制御回路１５を停止状態から起動状態に遷移させる。起動状態に遷移した物理層制御回路１５は、物理層外部設定スイッチ１６において設定された、オートネゴシエーション有効／無効、リンクアップ速度、デュプレックス等を示す物理層制御設定信号をハードウェアストラップ機能（ブートストラップ機能）によって取り込み、当該設定を反映させる。
【００３７】
一方で、電源起動後にＰＯＮ制御回路１２が起動状態となり、上述の物理層外部設定スイッチ１６による設定の後、ＭＤＩＯインタフェースによって、物理層制御回路１５に対する初期設定を行う。よって物理層制御回路１５は、物理層外部設定スイッチ１６の設定とは異なる設定に書き換えられることになる。
【００３８】
その後加入者側通信装置２を、光ファイバケーブル３を介して局側通信装置１と接続した場合、局側通信装置１から入力される波長λａの下り光信号は、波長分割多重カプラ６において分割され、光電気変換回路７に入力される。
【００３９】
光電気変換回路７では、入力された光信号を電気信号に変換し、ＰＯＮ制御回路１１に出力する。
【００４０】
ＰＯＮ制御回路１１が受信した信号は、波長λａの下り光信号が光電気変換回路７で変換された電子信号であることから、加入者側通信装置２に接続されている通信装置が局側通信装置１であることが分かる。そして、局側通信装置１との間でロジカルリンクアップシーケンスを行うために、リンクアップシーケンス用の上り信号をＰＯＮ制御回路１１がマルチプレクサ１３に出力する。
【００４１】
一方光電気変換回路８では、波長λｂの光信号を受信していないことに基づいて、マルチプレクサ１３がＰＯＮ制御回路１１からの入力信号を選択して出力することを示すマルチプレクサ制御信号を、マルチプレクサ１３へ出力する。
【００４２】
マルチプレクサ１３に入力されたＰＯＮ制御回路１１からの上り信号は、電気光変換回路９において波長λｃの光信号に変換され、波長分割多重フィルタ１０および波長分割多重カプラ６を経由して、局側通信装置１に出力される。
【００４３】
このようにしてＰＯＮ制御回路１１と局側通信装置１とのロジカルリンクが確立すると、ＰＯＮ制御回路１１は物理層制御回路１５に対して第１リセット信号（パルス信号）を出力する。この第１リセット信号によって物理層制御回路１５が一旦停止状態となる。
【００４４】
そして第１リセット信号が終了した時、物理層制御回路１５は再び起動状態に遷移し、物理層外部設定スイッチ１６によって設定された物理層制御設定信号を、物理層制御回路１５のハードウェアストラップ機能（ブートストラップ機能）によって取り込み、当該設定を反映する。
【００４５】
一方でＰＯＮ制御回路１１は、ＰＯＮ制御回路１１と局側通信装置１とのロジカルリンクが確立すると、ＰＯＮ制御回路１２に対して第２リセット信号（継続信号）を出力する。この第２リセット信号によってＰＯＮ制御回路１２が停止状態となる。
【００４６】
ＰＯＮ制御回路１２を停止状態にしておくことで、局側通信装置１との通信中にＰＯＮ制御回路１２からのＭＤＩＯインタフェースによる設定変更が行われることを防止することができる。
【００４７】
また加入者側通信装置２の電源がオフになった場合や、光ファイバケーブル３との接続が切れた場合は、電源投入または光ファイバケーブル３の再接続時に上記シーケンスを再び行うため、物理層制御回路１５における物理層制御の設定は、物理層制御回路１５のハードウェアストラップ機能（ブートストラップ機能）により物理層外部設定スイッチ１６の設定が反映されることになる。
【００４８】
図３は、上記の動作（局側通信装置１と接続した場合）を示したシーケンス図である。
【００４９】
図３においては、上の段から順に、ＰＯＮ制御回路１１のロジカルリンクアップ状態１０１、ＰＯＮ制御回路１１から物理層制御回路１５への第１リセット信号１０２および物理層制御回路１５の起動状態、ＰＯＮ制御回路１２から物理層制御回路１５へのＭＤＩＯ信号１０３、物理層制御回路１５の物理層制御の設定状態１０４、ＰＯＮ制御回路１１からＰＯＮ制御回路１２への第２リセット信号１０５およびＰＯＮ制御回路１２の起動状態をそれぞれ示している。
【００５０】
第１リセット信号１０２では、波形が低い場合は、リセット信号が入力され物理層制御回路１５が停止状態であることを示し、波形が高い場合は、リセット信号が入力されず物理層制御回路１５が起動状態であることを示している。
【００５１】
第２リセット信号１０５では、波形が低い場合は、リセット信号が入力されＰＯＮ制御回路１２が停止状態であることを示し、波形が高い場合は、リセット信号が入力されずＰＯＮ制御回路１２が起動状態であることを示している。
【００５２】
加入者側通信装置２の物理層制御回路１５では、電源起動時に、物理層制御回路１５のハードウェアストラップ機能（ブートストラップ機能）により一旦物理層外部設定スイッチ１６による設定が反映されているが、その後電源起動によりＰＯＮ制御回路１２が起動し、ＭＤＩＯ信号によって初期設定が反映されている。
【００５３】
しかしＰＯＮ制御回路１１と局側通信装置１とが接続されロジカルリンクが確立すると、物理層制御回路１５にＰＯＮ制御回路１１からの第１リセット信号（パルス信号）が入力され、物理層制御回路１５のハードウェアストラップ機能（ブートストラップ機能）により再度物理層外部設定スイッチ１６による設定が反映される。
【００５４】
この際、ＰＯＮ制御回路１２に第２リセット信号（継続信号）を出力しておくことにより、ＭＤＩＯインタフェースによる設定変更を防止することができる。
【００５５】
以上のように、本発明の第１実施形態による光通信システムにおいては、物理層外部設定スイッチ１６による設定と設定制御フレームによる設定間で設定競合が発生することがなく、ＬＡＮポートの共通化が実現可能であり、装置容量とコストを削減することが可能である。
【００５６】
＜効果＞
本発明に関する実施形態によれば、通信装置が、通信方式の異なる複数の上位ネットワークと通信可能な下位通信装置としての加入者側通信装置２であって、各上位ネットワークと通信する、当該各上位ネットワークに対応して備えられた複数の通信制御回路としてのＰＯＮ制御回路１１およびＰＯＮ制御回路１２と、各ＰＯＮ制御回路と通信し、通信プロトコルの階層構造における物理層を制御する、複数のＰＯＮ制御回路に共通する物理層制御回路１５と、物理層制御回路１５と通信する、複数のＰＯＮ制御回路に共通するＬＡＮポート１７とを備える。
【００５７】
各ＰＯＮ制御回路が対応する各上位ネットワークと通信するそれぞれの場合に応じて、物理層制御回路１５に対しそれぞれ異なる物理層制御の設定が行われる。また物理層制御回路１５が、設定された物理層制御に従ってＬＡＮポート１７の通信における物理層を制御する。また物理層制御の設定は、ＰＯＮ制御回路がいずれの上位ネットワークから信号を受信したかに応じて、ＰＯＮ制御回路が物理層制御回路１５を制御することにより行われる。
【００５８】
このような構成によれば、複数のＰＯＮ制御回路に共通する物理層制御回路１５の物理制御の設定を、ＰＯＮ制御回路がいずれの上位ネットワークから信号を受信したかに応じて変更することにより、共通のＬＡＮポート１７の通信における物理層の制御を、設定競合なく行うことができる。よって、新たなＬＡＮポートまたは設定信号統一用の回路を備えることによる装置容量の増加、およびコストの増加を抑制することができる。
【００５９】
また、本発明に関する実施形態によれば、各ＰＯＮ制御回路と対応する各上位ネットワークとの通信が確立した場合、当該ＰＯＮ制御回路が、他のＰＯＮ制御回路に対応する物理層制御回路１５の物理層制御の設定を停止させる。
【００６０】
このような構成によれば、１つのＰＯＮ制御回路が対応する上位ネットワークと通信する間は、他のＰＯＮ制御回路に対応して物理層制御回路１５の物理層制御の設定が変更されることがなく、設定競合を避けることができる。
【００６１】
また、本発明に関する実施形態によれば、各ＰＯＮ制御回路が、対応する上位ネットワークとの間で固有波長の光信号に基づいて通信する。
【００６２】
このような構成によれば、各上位ネットワークから受信した光信号の波長に応じて通信を行うＰＯＮ制御回路を使い分けることができる。
【００６３】
＜第２実施形態＞
＜構成＞
図４は、本発明の第２実施形態に関する通信システムの構成を概念的に示す図である。図４に示された通信システム１００Ａは、図１に示された１００と切り替え可能な通信システムである。なお切り替え可能な通信システムは、通信システム１００と通信システム１００Ａとに限られず、例えば３つ以上の通信システムが切り替え可能な関係にあってもよい。
【００６４】
図４に示されるように通信システム１００Ａにおいては、下りデータ通信に波長λｂの光信号を使用し、上りデータ通信に波長λｃの光信号を使用する局側通信装置５と、局側通信装置５を共通に介して上位ネットワークと通信を行う複数の通信装置としての加入者側通信装置２と、局側通信装置１と複数の加入者側通信装置２とを接続する光ファイバケーブル３と、局側通信装置１から複数の加入者側通信装置２へ分岐するための光スプリッタとしてのスターカプラ４とを備える。
【００６５】
＜動作＞
次に、本発明の本実施形態に関する通信装置としての加入者側通信装置２の動作を説明する。
【００６６】
まず加入者側通信装置２は、電源起動後に物理層制御回路１５のリセットを解除し、物理層制御回路１５を停止状態から起動状態に遷移させる。起動状態に遷移した物理層制御回路１５は、物理層外部設定スイッチ１６によって設定された、オートネゴシエーション有効／無効、リンクアップ速度、デュプレックス等を示す物理層制御設定信号をハードウェアストラップ機能（ブートストラップ機能）によって取り込み、当該設定を反映させる。
【００６７】
一方で、電源起動後にＰＯＮ制御回路１２が起動状態となり、上述の物理層外部設定スイッチ１６による設定の後、ＭＤＩＯインタフェースによって、物理層制御回路１５に対して初期設定を行う。よって物理層制御回路１５は、物理層外部設定スイッチ１６の設定とは異なる設定に書き換えられることになる。
【００６８】
その後加入者側通信装置２を、光ファイバケーブル３を介して局側通信装置５と接続した場合、局側通信装置５から入力される波長λｂの下り光信号は、波長分割多重カプラ６において分割され、波長分割多重フィルタ１０に入力される。
【００６９】
波長分割多重フィルタ１０は、波長λｂの光信号を光電気変換回路８に出力する。光電気変換回路８は、入力された光信号を電気信号に変換し、ＰＯＮ制御回路１２に出力する。
【００７０】
ＰＯＮ制御回路１２が受信した信号は、波長λｂの下り光信号が光電気変換回路８で変換された電子信号であることから、加入者側通信装置２に接続されている通信装置が局側通信装置５であることが分かる。そして、局側通信装置５との間でロジカルリンクアップシーケンスを行うために、リンクアップシーケンス用の上り信号をＰＯＮ制御回路１２がマルチプレクサ１３に出力する。
【００７１】
一方光電気変換回路８は、波長λｂの光信号を受信していることに基づいて、マルチプレクサ１３がＰＯＮ制御回路１２からの入力信号を選択して出力することを示すマルチプレクサ制御信号を、マルチプレクサ１３へ出力する。
【００７２】
マルチプレクサ１３に入力されたＰＯＮ制御回路１２からの上り信号は、電気光変換回路９において波長λｃの光信号に変換され、波長分割多重フィルタ１０および波長分割多重カプラ６を経由して、局側通信装置５に出力される。
【００７３】
このようにしてＰＯＮ制御回路１２と局側通信装置５とのロジカルリンクが確立すると、局側通信装置５からの設定制御フレームを用いて、物理層制御回路１５のオートネゴシエーション有効／無効、リンクアップ速度、デュプレックス等の物理層設定の変更が可能となる。
【００７４】
局側通信装置５が物理層制御回路１５の設定を変更する設定制御フレームを送信した場合、ＰＯＮ制御回路１２で設定制御フレームを終端し、ＭＤＩＯインタフェース経由で物理層制御回路１５の物理層設定を変更する。
【００７５】
また加入者側通信装置２の電源がオフになった場合や、光ファイバケーブル３との接続が切れた場合は、電源投入または光ファイバケーブル３の再接続時に上記シーケンスを再び行うため、物理層制御回路１５における設定は、局側通信装置５からの設定制御フレームを用いた設定が反映されることになる。
【００７６】
図５は、上記の動作（局側通信装置５と接続した場合）を示したシーケンス図である。
【００７７】
図５においては、上の段から順に、ＰＯＮ制御回路１２のロジカルリンクアップ状態１０６、ＰＯＮ制御回路１１から物理層制御回路１５への第１リセット信号１０２および物理層制御回路１５の起動状態、ＰＯＮ制御回路１２から物理層制御回路１５へのＭＤＩＯ信号１０３、物理層制御回路１５の物理層制御の設定状態１０４、ＰＯＮ制御回路１１からＰＯＮ制御回路１２への第２リセット信号１０５およびＰＯＮ制御回路１２の起動状態をそれぞれ示している。
【００７８】
第１リセット信号１０２では、波形が低い場合は、リセット信号が入力され物理層制御回路１５が停止状態であることを示し、波形が高い場合は、リセット信号が入力されず物理層制御回路１５が起動状態であることを示している。
【００７９】
第２リセット信号１０５では、波形が低い場合は、リセット信号が入力されＰＯＮ制御回路１２が停止状態であることを示し、波形が高い場合は、リセット信号が入力されずＰＯＮ制御回路１２が起動状態であることを示している。
【００８０】
加入者側通信装置２の物理層制御回路１５では、電源起動時に、物理層制御回路１５のハードウェアストラップ機能（ブートストラップ機能）により一旦物理層外部設定スイッチ１６による設定が反映されているが、その後電源起動によりＰＯＮ制御回路１２が起動し、ＭＤＩＯ信号によって初期設定が反映される。
【００８１】
その後ＰＯＮ制御回路１２と局側通信装置５とが接続されロジカルリンクが確立すると、局側通信装置５からの設定制御フレームを用いて、加入者側通信装置２の物理層制御回路１５の物理層設定の変更が可能となる。当該ロジカルリンクが確立している間はＰＯＮ制御回路１１と局型通信装置１との間のロジカルリンクが確立することがないため、ＰＯＮ制御回路１１から第１リセット信号が出力されることはなく物理層外部設定スイッチ１６による設定は行われない。
【００８２】
以上のように、本発明の第２実施形態による光通信システムにおいては、物理層外部設定スイッチ１６による設定と設定制御フレームによる設定間で設定競合が発生することがなく、ＬＡＮポートの共通化が実現可能であり、装置容量とコストを削減することが可能である。
【００８３】
＜効果＞
本発明に関する実施形態によれば、物理層制御の設定は、ＰＯＮ制御回路がいずれの上位ネットワークから信号を受信したかに応じて、ＰＯＮ制御回路が物理層制御回路１５を制御することにより行われる。
【００８４】
このような構成によれば、複数のＰＯＮ制御回路に共通する物理層制御回路１５の物理制御の設定を、ＰＯＮ制御回路がいずれの上位ネットワークから信号を受信したかに応じて変更することにより、共通のＬＡＮポート１７の通信における物理層の制御を、設定競合なく行うことができる。よって、新たなＬＡＮポートまたは設定信号統一用の回路を備えることによる装置容量の増加、およびコストの増加を抑制することができる。
【００８５】
＜第３実施形態＞
＜構成＞
本発明の第３実施形態では、加入者側通信装置２を、局側通信装置１と接続される通信システムから局側通信装置５と接続される通信システムへ切り替える場合の動作について述べる。
【００８６】
＜動作＞
局側通信装置１と接続される通信システムにおいては、物理層制御回路１５の物理層制御の設定には物理層外部設定スイッチ１６による設定が反映されている。またＯＮＵ−ＩＤ外部設定スイッチ１８によるＯＮＵ登録番号設定が、ＰＯＮ制御回路１１から局側通信装置１に通知される。
【００８７】
この状態で光ファイバケーブル３を抜去すると、加入者側通信装置２と局側通信装置１とのロジカルリンクが切断される。すると、ＰＯＮ制御回路１１と上位ネットワークとでロジカルリンクが確立していた間に継続して出力されていた、ＰＯＮ制御回路１１からＰＯＮ制御回路１２への第２リセット信号が出力されなくなり、ＰＯＮ制御回路１２が起動状態に遷移する。そしてＰＯＮ制御回路１２は、ＭＤＩＯインタフェースによって物理層制御回路１５に対して初期設定を行う。
【００８８】
その後、局側通信装置５と加入者側通信装置２とを光ファイバケーブル３を介して接続し、ＰＯＮ制御回路１２と局側通信装置５とのロジカルリンクアップが確立されると、局側通信装置５と接続される通信システムへ切り替えられ、局側通信装置５からの設定制御フレームを用いて物理層制御回路１５の物理層設定の変更が可能となる。
【００８９】
ここで、ＰＯＮ制御回路１１とＰＯＮ制御回路１２との間で、ＯＮＵ−ＩＤ外部設定スイッチ１８によるＩＤ登録番号を共通化することにより、通信システムの切り替え時のＯＮＵ−ＩＤ外部設定スイッチ１８の設定変更作業を削減することができる。
【００９０】
次に加入者側通信装置２を、局側通信装置５と接続される通信システムから局側通信装置１と接続される通信システムへ切り替える場合について述べる。
【００９１】
局側通信装置１と接続される通信システムにおいては、物理層制御回路１５の制御設定には、局側通信装置５からの設定制御フレームによる設定が反映されている。またＯＮＵ−ＩＤ外部設定スイッチ１８によるＯＮＵ登録番号設定は、ＰＯＮ制御回路１２から局側通信装置５に通知される。
【００９２】
この状態で光ファイバケーブル３を抜去すると、加入者側通信装置２と局側通信装置５とのロジカルリンクが切断される。
【００９３】
その後、局側通信装置１と加入者側通信装置２とを光ファイバケーブル３を介して接続し、ＰＯＮ制御回路１１と局側通信装置１とのロジカルリンクアップが確立されると、局側通信装置１と接続される通信システムへ切り替えられ、ＰＯＮ制御回路１１は物理層制御回路１５に対して第１リセット信号（パルス信号）を出力する。この第１リセット信号によって物理層制御回路１５が一旦停止状態となる。
【００９４】
そして第１リセット信号が終了した時、物理層制御回路１５は再び起動状態に遷移し、物理層外部設定スイッチ１６によって設定された物理層設定信号を、物理層制御回路１５のハードウェアストラップ機能（ブートストラップ機能）によって取り込み、当該設定を反映する。
【００９５】
一方でＰＯＮ制御回路１１は、ＰＯＮ制御回路１１と局側通信装置１とのロジカルリンクが確立すると、ＰＯＮ制御回路１２に対して第２リセット信号（継続信号）を出力する。この第２リセット信号によってＰＯＮ制御回路１２が停止状態となる。
【００９６】
ＰＯＮ制御回路１２を停止状態にしておくことで、局側通信装置１との通信中にＰＯＮ制御回路１２からのＭＤＩＯインタフェースによる設定変更が（継続的に）発生することを防止できる。
【００９７】
ここで、ＰＯＮ制御回路１１とＰＯＮ制御回路１２との間で、ＯＮＵ−ＩＤ外部設定スイッチ１８による登録番号を共通化することにより、通信システムの切り替え時のＯＮＵ−ＩＤ外部設定スイッチ１８の設定変更作業を削減することができる。
【００９８】
図６は、上記の動作（局側通信装置１と局側通信装置５との間のシステム切り替え）を示したシーケンス図である。
【００９９】
図６においては、上の段から順に、ＰＯＮ制御回路のロジカルリンクアップ状態１０７、ＰＯＮ制御回路１１から物理層制御回路１５への第１リセット信号１０２および物理層制御回路１５の起動状態、ＰＯＮ制御回路１２から物理層制御回路１５へのＭＤＩＯ信号１０３、物理層制御回路１５の物理層制御の設定状態１０４、ＰＯＮ制御回路１１からＰＯＮ制御回路１２への第２リセット信号１０５およびＰＯＮ制御回路１２の起動状態をそれぞれ示している。
【０１００】
第１リセット信号１０２では、波形が低い場合は、リセット信号が入力され物理層制御回路１５が停止状態であることを示し、波形が高い場合は、リセット信号が入力されず物理層制御回路１５が起動状態であることを示している。
【０１０１】
第２リセット信号１０５では、波形が低い場合は、リセット信号が入力されＰＯＮ制御回路１２が停止状態であることを示し、波形が高い場合は、リセット信号が入力されずＰＯＮ制御回路１２が起動状態であることを示している。
【０１０２】
加入者側通信装置２の物理層制御回路１５では、起動後にシステムの切り替えを行っても接続された局側通信装置を判別し、各局側通信装置に対するＬＡＮ側物理層の設定を切り替えることが可能である。
【０１０３】
以上のように、本発明の第３実施形態による光通信システムにおいては、システムの切り替えが発生しても物理層外部設定スイッチ１６による設定と設定制御フレームによる設定間で設定競合が発生することがなく、ＬＡＮポートの共通化が実現可能である。
【０１０４】
＜効果＞
本発明に関する実施形態によれば、ＰＯＮ制御回路１１と対応する上位ネットワークとの通信が遮断された場合、ＰＯＮ制御回路１１が、ＰＯＮ制御回路１２に出力していた第２リセット信号の出力を停止する。
【０１０５】
このような構成によれば、切り替えができる。
【０１０６】
また、本発明に関する実施形態によれば、各通信方式においてそれぞれ設定されるＩＤ登録番号を、ＰＯＮ制御回路１１とＰＯＮ制御回路１２との間で共通して用いる。
【０１０７】
このような構成によれば、システム切り替え時のＯＮＵ−ＩＤ外部設定スイッチ１８によるＩＤ登録番号の設定変更作業を省略できる。
【０１０８】
なお本発明は、その発明の範囲内において、各実施形態の自由な組み合わせ、あるいは各実施形態の任意の構成要素の変形、もしくは各実施形態において任意の構成要素の省略が可能である。
【符号の説明】
【０１０９】
１，５  局側通信装置、２  加入者側通信装置、３  光ファイバケーブル、４  スターカプラ、６  波長分割多重カプラ、７，８  光電気変換回路、９  電気光変換回路、１０  波長分割多重フィルタ、１１，１２  ＰＯＮ制御回路、１３  マルチプレクサ、１４  レイヤー２スイッチ制御回路、１５  物理層制御回路、１６  物理層外部設定スイッチ、１７  ＬＡＮポート、１８  ＯＮＵ−ＩＤ外部設定スイッチ、１００，１００Ａ  通信システム。
【図１】
2014082560.tif 000003
【図２】
2014082560.tif 000004
【図３】
2014082560.tif 000005
【図４】
2014082560.tif 000006
【図５】
2014082560.tif 000007
【図６】
2014082560.tif 000008